(57)【要約】【課題】タッチパネルを有する表示手段を用いて異なる機能の情報を同じ画面に表示する場合に、ユーザに負担をかけることなく、迅速かつ正確な操作によって所望の情報を表示する。【解決手段】制御部４は、表示されているナビ画像におけるＬＯＷ  ＣＯＮＴアイコンが接触されたときは、ナビ画像に代えて機器制御画像を表示する画像制御信号を映像処理・描画回路部３に与え、表示されている機器制御画像における現在地アイコンが接触されたときは、機器制御画像に代えてナビ画像を表示する画像制御信号を映像処理・描画回路部３に与える。【選択図】        図１
2005024918.tif 000002
【特許請求の範囲】
【請求項１】
所定のコントラストからなる第１の画像又は前記第１の画像よりも低いコントラストからなる第２の画像のいずれか一方を画像処理してタッチパネルを有する表示手段に出力する画像処理手段と、
前記表示手段に表示されている前記第１の画像における表示切替アイコンが接触されたときは前記第１の画像に代えて前記第２の画像を前記表示手段に出力する画像制御信号を前記画像処理手段に与え、前記表示手段に表示されている前記第２の画像における表示切替アイコンが接触されたときは前記第２の画像に代えて前記第１の画像を前記表示手段に出力する画像制御信号を前記画像処理手段に与える制御信号発生手段と
を備えた表示制御装置。
【請求項２】
画像処理手段は、映像情報および表示切替アイコンを含む第１の画像又は所定の機器を制御するアイコンおよび表示切替アイコンを含む第２の画像のいずれか一方を画像処理して表示手段に出力することを特徴とする請求項１記載の表示制御装置。
【請求項３】
画像処理手段は、車両走行案内のナビゲーション映像情報および低コントラスト指示の表示切替アイコンからなる第１の画像又は車両内のオーディオ機器およびエアコン機器を制御するアイコンおよび通常コントラスト指示の表示切替アイコンからなる第２の画像のいずれか一方を画像処理して表示手段に出力することを特徴とする請求項１記載の表示制御装置。
【請求項４】
画像処理手段は、テレビジョン映像情報および低コントラスト指示の表示切替アイコンからなる第１の画像又は車両内のオーディオ機器およびエアコン機器を制御するアイコンおよび通常コントラスト指示の表示切替アイコンからなる第２の画像のいずれか一方を画像処理して表示手段に出力することを特徴とする請求項１記載の表示制御装置。
【発明の詳細な説明】
【０００１】
【発明の属する技術分野】
この発明は、表示制御装置に関し、特に、表示装置に表示する画像の内容を制御する表示制御装置に関するものである。
【０００２】
【従来の技術】
タッチパネルを有する表示装置によって、限られたサイズの操作パネルと最小限のスイッチキーとを使用して、ＶＴＲに代表される多機能な家庭電化機器に必要な全ての動作制御を行う操作部を構成する操作装置が提案されている。従来のある提案によれば、操作表示部は、操作スイッチのシンボルを表示するディスプレイ部と、シンボル表示のための表示制御手段と、ディスプレイ上に設置した透明タッチキーボードと、キーボード上の押圧したキーの位置データを検出して出力する手段と、機器の動作状態の検出等により機能および動作のモードデータを出力するモード制御手段と、押圧キーの位置データを機器の制御信号に変換する手段とから構成したものである（例えば、特許文献１参照）。
また、電源回路の出力する電源電圧を固定にし、デジタルデータのみを用いて液晶セルに印加する実効電圧を制御することにより、液晶表示モジュールの表示コントラストを調整できるようにする液晶表示モジュールのコントラスト制御方法および液晶表示装置の提案がなされている。この提案によれば、複数の液晶セルから成る液晶表示モジュールの表示をオフにする信号をディスプレイオフ信号とするとき、前記液晶表示モジュールの各走査電極に対する走査信号の印加期間中に、画像表示のコントラストに応じて前記ディスプレイオフ信号を液晶セルの選択期間より短い時間に挿入することにより、前記液晶表示モジュールのコントラストを制御する（例えば、特許文献２参照）。
【０００３】
【特許文献１】
特開平３−１８９８１２号公報（第２頁右上欄第７行ないし１６行）
【特許文献２】
特開平１１−３３７９１２号公報（段落番号「００１０」）
【０００４】
【発明が解決しようとする課題】
一般に、タッチパネルを有する表示装置を用いて異なる機能の情報を同じ画面に表示する場合には、情報選択のメニュー画面を表示していずれかの情報をユーザに選択させる方法と、異なる機能の情報を同時に表示する方法がある。情報選択のメニュー画面を表示する方法は、所望の情報を表示する操作に手間がかかる。一方、異なる機能の情報を同時に表示する方法は、それぞれの情報を表示する領域が小さくなるため誤操作のおそれがある。他の作業をしながら画面を見たり操作する状況においては、いずれの方法もユーザに負担がかかっていた。特に、画面の表示自体が作業の集中に支障をきたすような場合には、表示装置の電源をオフにして表示を消去する必要があるので、所望する情報を表示するためには、その前にまず表示装置の電源をオンにする操作をしなければならず、ユーザの負担はさらに大きかった。
例えば、タッチパネルを有する表示手段を用いた車載用のナビゲーション装置の中には、走行案内の地図情報を表示するだけでなく、車両内のオーディオ機器やエアコン機器を制御するためアイコンを表示して、タッチパネルに接触するだけで、これらの機器を制御するものがある。このような装置においては、走行案内が必要ない場合には画面の表示を消去しているので、オーディオ機器やエアコン機器を制御する際には、画面消去を解除して機器制御のメニューを表示し、制御する機器のメニューを選択して、その機器のアイコンを画面に表示させる必要があった。このため、オーディオ機器やエアコン機器を制御するのに手間がかかり、車両の運転に支障をきたすという課題があった。一方、画面を消去せずにオーディオ機器やエアコン機器を制御するためアイコンを常に表示した状態では、夜間の運転に支障をきたすという課題があった。
しかしながら、上記従来の操作装置の提案や液晶表示モジュールのコントラスト制御方法および液晶表示装置の提案では、このような課題を解決することはできなかった。
【０００５】
この発明は上記のような課題を解決するためになされたもので、タッチパネルを有する表示装置を用いて異なる機能の情報を同じ画面に表示する場合に、ユーザに負担をかけることなく、迅速かつ正確な操作によって所望の情報を表示できる表示制御装置を得ることを目的とする。
【０００６】
【課題を解決するための手段】
この発明に係る表示制御装置は、所定のコントラストからなる第１の画像又は第１の画像よりも低いコントラストからなる第２の画像のいずれか一方を画像処理してタッチパネルを有する表示手段に出力する画像処理手段と、表示手段に表示されている第１の画像における表示切替アイコンが接触されたときは第１の画像に代えて第２の画像を表示手段に出力する画像制御信号を画像処理手段に与え、表示手段に表示されている第２の画像における表示切替アイコンが接触されたときは第２の画像に代えて第１の画像を表示手段に出力する画像制御信号を画像処理手段に与える制御信号発生手段とを備えた構成にしたものである。
【０００７】
【発明の実施の形態】
以下、この発明の表示制御装置の一実施の形態の構成について、図を参照しながら説明する。
実施の形態１．
図１は、この発明の表示制御装置を適用した車載用のナビゲーション装置における表示装置の構成を示すブロック図である。図１において、ＬＣＤ（液晶表示デバイス）モジュール１（表示手段）は入力される画像をバックライト（図示せず）の輝度に応じたコントラストで表示する。タッチパネル部２は、ＬＣＤモジュール１の表示面に設けられ、表示面の任意の位置における指などの接触を検出して位置検出信号を生成する。映像処理・描画回路部３（画像処理手段）は、ＬＣＤモジュール１に出力する画像を処理する。制御部４（制御信号発生手段）は、タッチパネル部２からの位置検出信号を処理して、映像処理・描画回路部３に対して画像制御信号を与えるとともに、ＬＣＤモジュール１のバックライトの輝度を制御する輝度制御信号を発生する。インバータ回路部５は、制御部４からの輝度制御信号に応じた電圧をＬＣＤモジュール１のバックライトに印加する。
【０００８】
次に、動作について説明する。
図２は、図１の表示装置の動作を示すフローチャートである。表示装置が起動されると、まず、ナビ画面を通常のコントラストで表示する（ステップＳＴ１）。図３にＬＣＤモジュール１におけるナビ画面の表示例を示す。図３に示すように、ナビ画面は、地図情報の画像１１のほかに複数種類のアイコンの画像１２で構成されている。複数種類のアイコンには、ナビアイコン、ＴＶ（テレビ）アイコン、ＡＵＤＩＯアイコン、エアコンアイコン、情報アイコンのほか、低コントラスト指示のためのＬＯＷ  ＣＯＮＴアイコン１３（表示切替アイコン）がある。
【０００９】
ナビ画面を表示した後は、ＬＯＷ  ＣＯＮＴアイコン１３が押下されたか否かを判別する（ステップＳＴ２）。このアイコンが押下されたときは、低コントラストの機器制御画像を画面に表示し、バックライトの輝度を所定値に設定する（ステップＳＴ３）。図４は、ナビ画面から遷移した低コントラストの機器制御画像の画面を示す図である。この画面には、オーディオ機器を制御するための複数の操作アイコン（選局アイコン、音量アイコン、ＦＭ放送選択アイコン、ＣＤ選択アイコン）１４、エアコン機器を制御するための操作アイコン（風向アイコン、風量アイコン、温度設定アイコン、ＤＥＦアイコン、換気アイコン）１５、および表示切替の操作アイコンである現在地アイコン１６（表示切替アイコン）が表示される。
【００１０】
なお、テレビジョン放送画面から遷移した低コントラストの機器制御画像の画面においては、表示切替の操作アイコンはＴＶアイコンであり、オーディオ画面から遷移した低コントラストの機器制御画像の画面においては、表示切替の操作アイコンはＡＵＤＩＯアイコンであり、情報画面から遷移した低コントラストの機器制御画像の画面においては、表示切替の操作アイコンは情報アイコンである。
【００１１】
図４の画面において、操作アイコンが押下されたか否かを判別し（ステップＳＴ４）、いずれかの操作アイコンが押下されたときは、そのアイコンが現在地アイコン１６であるか否かを判別する（ステップＳＴ５）。押下されたのが現在地アイコン１６である場合には、ステップＳＴ１に移行して、図３に示した通常のコントラストのナビ画面を表示する。一方、押下されたのがオーディオ機器又はエアコン機器を制御するためのいずれかの操作アイコンである場合には、その操作アイコンに応じた所定の処理を行う（ステップＳＴ６）。所定の処理の後は、ステップＳＴ４に移行して、操作アイコンが押下されたか否かを判別する。
【００１２】
以上のように、この実施の形態１によれば、映像処理・描画回路部３は、所定のコントラストからなるナビ画像、又は、ナビ画像よりも低いコントラストからなるオーディオ機器およびエアコン機器の制御をするための機器制御画像のいずれか一方を、画像制御信号に応じて画像処理してＬＣＤモジュール１に出力する。制御部４は、ＬＣＤモジュール１に表示されているナビ画像におけるＬＯＷ  ＣＯＮＴアイコン１３が接触されたときは、ナビ画像に代えて機器制御画像をＬＣＤモジュール１に出力する画像制御信号を映像処理・描画回路部３に与え、ＬＣＤモジュール１に表示されている機器制御画像における現在地アイコン１６が接触されたときは、機器制御画像に代えてナビ画像をＬＣＤモジュール１に出力する画像制御信号を映像処理・描画回路部３に与えるので、タッチパネル部２を有するＬＣＤモジュール１を用いて異なる機能の情報を同じ画面に表示する場合に、ユーザに負担をかけることなく、迅速かつ正確な操作によって所望の情報を表示できるという効果が得られる。
【００１３】
【発明の効果】
以上のように、この発明によれば、表示制御装置を、所定のコントラストからなる第１の画像又は第１の画像よりも低いコントラストからなる第２の画像のいずれか一方を画像処理してタッチパネルを有する表示手段に出力する画像処理手段と、表示手段に表示されている第１の画像における表示切替アイコンが接触されたときは第１の画像に代えて第２の画像を表示手段に出力する画像制御信号を画像処理手段に与え、表示手段に表示されている第２の画像における表示切替アイコンが接触されたときは第２の画像に代えて第１の画像を表示手段に出力する画像制御信号を画像処理手段に与える制御信号発生手段とを備えた構成にしたので、タッチパネルを有する表示手段を用いて異なる機能の情報を同じ画面に表示する場合に、ユーザに負担をかけることなく、迅速かつ正確な操作によって所望の情報を表示できるという効果がある。
【図面の簡単な説明】
【図１】この発明の実施の形態１における表示制御装置を適用した車載用のナビゲーション装置における表示装置の構成を示すブロック図である。
【図２】図１の表示装置の動作を示すフローチャートである。
【図３】図１のＬＣＤモジュールにおけるナビ画面の表示例を示す図である。
【図４】ナビ画面から遷移した低コントラストの機器制御画像の画面を示す図である。
【符号の説明】
１  ＬＣＤモジュール（表示手段）、２  タッチパネル部、３  映像処理・描画回路部（画像処理手段）、４  制御部、５  インバータ回路部。
【図１】
2005024918.tif 000003
【図２】
2005024918.tif 000004
【図３】
2005024918.tif 000005
【図４】
2005024918.tif 000006